(57)【要約】送受信システム（１）及び移動受信機（４）は、携帯電話機等の移動受信機が空間的に及び時間的にサービス受信可能かという情報をユーザに対してよりわかりやすく知らせる。送受信システム（１）は、時間帯を限定してデータ又はコンテンツを含む情報の送信を行う送信源（２）と、送信源からの送信情報を受信する移動受信機（４）により構成され、送信源（２）は、データ又はコンテンツを含む情報の送信を行っていない時間帯に、送信を行っていない旨の情報を送信し、移動受信機（４）は、送信源（２）からの送信情報から送信を行っていない旨の情報を抽出する。移動受信機（４）は、送信源（２）からの送信情報から送信を行っていない旨の情報を抽出したときに、対応するデータ又はコンテンツを含む情報を表示する操作手段を無効にする。
2003037028.tif 000002
【特許請求の範囲】
【請求項１】
時間帯を限定してデータ又はコンテンツを含む情報の送信を行う送信源と、前記送信源からの送信情報を受信する移動受信機と、で構成される送受信システムであって、
前記送信源は、前記データ又はコンテンツを含む情報の送信を行っているか否かの情報を送信し、
前記移動受信機は、前記送信源から送信状況に関する情報を抽出することを特徴とする送受信システム。
【請求項２】
時間帯を限定してデータ又はコンテンツを含む情報の送信を行う２つ以上の送信源と、前記２つ以上の送信源からの送信を受信可能な移動受信機と、で構成される送受信システムであって、
前記２つ以上の送信源のうち特定の送信源が前記データ又はコンテンツを含む情報の送信を行っているか否かの情報を、他の送信源に連絡し、前記連絡を受けた少なくとも一つの送信源が自身の送信情報に前記送信を行っているか否かの情報を重畳して送信し、
前記移動受信機は、前記重畳された送信情報から、前記特定の送信源についての情報を抽出することを特徴とする送受信システム。
【請求項３】
時間帯を限定してデータ又はコンテンツを含む情報の送信を行う送信源からの送信情報を受信する移動受信機であって、
前記送信情報には、前記データ又はコンテンツを含む情報の送信を行っていない時間帯に送信を行っていない旨の情報を含み、
前記移動受信機は、前記送信情報から前記送信を行っていない旨の情報を抽出したときに、前記抽出された送信情報に対応する受信情報の表示に関する操作を無効にすることを特徴とする移動受信機。
【請求項４】
時間帯を限定してデータ又はコンテンツを含む情報の送信を行う２つ以上の送信源からの送信情報を受信する移動受信機であって、
前記送信情報には、前記データ又はコンテンツを含む情報の送信を行っていない時間帯に送信を行っていない旨の情報を含み、
前記移動受信機は、前記送信情報から前記送信を行っていない旨の情報を抽出したときに、前記抽出された送信情報に対応する受信情報の表示に関する操作を無効にすることを特徴とする移動受信機。
【発明の詳細な説明】
技術分野
本発明は、自動車電話や携帯電話、簡易携帯電話等の基地局と移動局から構成される送受信システムに関する。
背景技術
地上系の送受信システムには、移動電話システムとして、デジタル自動車電話等の携帯電話やＰＨＳ（Ｐｅｒｓｏｎａｌ  Ｈａｎｄｙｐｈｏｎｅ  Ｓｙｓｔｅｍ）等があり、それぞれの特徴を活かし広範囲に普及している。携帯電話やＰＨＳの送受信システムとしては、送受信周波数を８００ＭＨｚ／１５００ＭＨｚ、１９００ＭＨｚ、アクセス方式をＴＤＭＡ／ＦＤＤ、マルチキャリアＴＤＭＡ／ＴＤＤ、変調方式をπ／４シフトＱＰＳＫが採用されている。
また、放送サービスとしては、２００３年より現在のアナログ放送に加えて、地上デジタルテレビ放送が関東、中京、近畿の３大広域圏で開始され、その後全国的に放送される予定である。地上デジタル放送では、移動受信をはじめ、さまざまなサービスが考えられている。すなわち、家庭での固定受信に加えて、自動車での移動受信や携帯端末での受信に適したサービスを行うことが可能となる。地上デジタルテレビ放送は、１チャンネルの電波を１３の帯域（セグメント）に分割してセグメントごとに伝送方式や伝送情報量を個別に設定できるようになっている。
携帯電話機については、常時サービスを行っていることが前提であり、時間的なサービスの有無の検知は必要なく、空間的な検知、すなわちサービス圏内か圏外かの検知及び通知手段が重要となる。もし、サービス圏内なのに、サービスを受けられない場合は、基地局側の故障と認識できる。
一方、地上アナログＴＶ放送では、固定型のＴＶ受信機に対しては、設置するときに受信可能な放送サービスを設定するため、その都度の空間的なサービスの有無の検知は必要なく、また時間的な放送サービスの有無は、ＴＶ放送映像の有無（テストパターンを含む）で判別可能である。
携帯電話等の従来の移動受信機における課題についてみると、携帯電話機等の端末がサービスエリアの圏内もしくは圏外にいるという情報は、ＬＣＤ表示部またはＬＥＤによってユーザに知らせていた。しかしながら、地上デジタル放送を携帯電話機等の移動受信機で受信しようとした場合、携帯向けの放送サービスが、固定ＴＶ向けのサービスと異なり、放送時間が制限されることが予想される。この場合、移動受信機からみると空間的にサービスが受けられないのか、時間的にサービスが受けられないのか判別できない、という課題がある。
発明の開示
本発明の目的は、上記従来の課題を解決するために、携帯電話機等の移動受信機が、空間的に及び時間的にサービス受信可能かという情報をユーザに対してよりわかりやすく知らせることのできる送受信システム及び移動受信機を提供することにある。
前記課題を解決するために、本発明は主として次のような構成を採用する。
時間帯を限定してデータ又はコンテンツを含む情報の送信を行う送信源と、前記送信源からの送信情報を受信する移動受信機と、で構成される送受信システムであって、前記送信源は、前記データ又はコンテンツを含む情報の送信を行っているか否かの情報を送信し、前記移動受信機は、前記送信源から送信状況に関する情報を抽出する送受信システム。
また、時間帯を限定してデータ又はコンテンツを含む情報の送信を行う２つ以上の送信源と、前記２つ以上の送信源からの送信を受信可能な移動受信機と、で構成される送受信システムであって、前記２つ以上の送信源のうち特定の送信源が前記データ又はコンテンツを含む情報の送信を行っているか否かの情報を、他の送信源に連絡し、前記連絡を受けた少なくとも一つの送信源が自身の送信情報に前記送信を行っているか否かの情報を重畳して送信し、前記移動受信機は、前記重畳された送信情報から、前記特定の送信源についての情報を抽出することを特徴とする送受信システム。
また、時間帯を限定してデータ又はコンテンツを含む情報の送信を行う送信源からの送信情報を受信する移動受信機であって、前記送信情報には、前記データ又はコンテンツを含む情報の送信を行っていない時間帯に、送信を行っていない旨の情報を含み、前記移動受信機は、前記送信情報から前記送信を行っていない旨の情報を抽出したときに、前記抽出された送信情報に対応する受信情報の表示に関する操作を無効にする移動受信機。
また、時間帯を限定してデータ又はコンテンツを含む情報の送信を行う２つ以上の送信源からの送信情報を受信する移動受信機であって、前記送信情報には、前記データ又はコンテンツを含む情報の送信を行っていない時間帯に、送信を行っていない旨の情報を含み、前記移動受信機は、前記送信情報から前記送信を行っていない旨の情報を抽出したときに、前記抽出された送信情報に対応する受信情報の表示に関する操作を無効にする移動受信機。
発明を実施するための最良の形態
［第１の実施形態］
本発明の第１の実施形態に係る送受信システムについて、図１及び図２を参照して以下説明する。図１は、送信局２と移動受信機４とから構成された送受信システム１を示している。ここで、コンテンツ情報がある状態５と、コンテンツ情報が無い状態６とを便宜的に図示している。
図２は、アンテナ１１と、アンテナ１１より受信した送信局からの電波の受信電界レベルを検出する受信電界検出回路１２と、受信電界レベル及びコンテンツ情報の有無を抽出する受信信号処理部１３と、移動受信機４全体を制御するＣＰＵ等の制御部１５と、受信電界検出回路２にて検出された受信電界レベル、コンテンツ情報の有無情報、及びコンテンツ情報等を表示するＬＣＤ表示部１６と、ユーザが指示を入力する複数の操作ボタンを有する操作部１４と、によって基本的に構成された移動受信機４を示している。
この移動受信機は、不図示の、電話の着呼、通話した場合の電波の受信復調を行う受信部と、発呼、通話した場合の変調送信を行う送信部と、送受信用のコード・デコード回路と、ユーザの聴話を行うスピーカ・マイクロホンと、送信局を選択するチューナと、送信電波を復調する復調器と、圧縮されたコンテンツ情報をデコードするデコード器と、などを備えている。
次に、本発明の第１の実施形態の動作について、図１、図２及び図３を参照しながら説明する。図１において、移動受信機４がコンテンツ情報を視聴する場合、コンテンツ情報が視聴可能かどうか知る必要がある。その場合、送信局からの電波にコンテンツ情報の有無を知らせる情報を重畳しておけば、移動受信機は、その情報を抽出して、コンテンツ情報が視聴可能かどうか知ることができる。
図２において、移動受信機４は、送信局からの電波をアンテナ１１で受信し、受信電界検出回路１２により、その電波の電界強度レベルを検出する。サービスエリアの圏内か圏外かは、この電界強度レベルで判断できる。さらに、コンテンツ情報の有無情報を受信信号処理部１３で抽出し、制御部１５により、ＬＣＤ表示部にコンテンツ情報の有りの情報を表示するとともに、コンテンツ情報がある場合は、ＬＣＤ表示部にコンテンツ情報を表示する。
このとき、コンテンツ情報が無いという情報を抽出した場合には、ＬＣＤ表示部にコンテンツ情報の無しの情報を表示するとともに、制御部１５により、操作部１４の所定のキー入力を無効にして、コンテンツ情報の表示に切り替らないようにする。これにより、映像等のコンテンツのない雑音画面を表示することによる無駄な電力消費を抑えることができ、移動受信機の低消費電力化が可能となる。
図３に移動受信機でのフローチャートを示す。分岐２２において、電波強度が無い場合は、エリア外表示を行う。電波強度が有る場合は、次に、分岐２３において、送信サービスを判断する。送信サービスがない場合は、すなわち、コンテンツ情報が無いという情報を抽出した場合には、送信サービス無をＬＣＤ表示部に表示し、コンテンツ情報表示への切り替えを不能にする。送信サービスがある場合には、コンテンツ情報の表示を可能とするとともに、ＬＣＤ表示部にコンテンツ情報を表示する。
［第２の実施形態］
次に、本発明の第２の実施形熊に係る送受信システムについて、図４を参照して以下説明する。図４は、送信局３２と、もう一つの送信局３３と、移動受信機３４と、から構成された送受信システム３１を示している。ここで、送信局３２からの送信電波で、コンテンツ情報が有る状態３５と、コンテンツ情報が無い状態３６（この３６は、図１のコンテンツ情報無しを示す情報６（電波送信状態）とは異なり、電波が送信されていない状態である）とを便宜的に示し、送信局３３からの送信電波で、コンテンツ情報が有るという情報３８と、コンテンツ情報が無いという情報３９と、を便宜的に示している。
次に、本発明の第２の実施形態の動作について、図４、図５Ａ及び図５Ｂを参照しながら説明する。図４において、送受信システム３１は、図１の送受信システム１に、もう一つの送信局３３を組み入れた構成となっている。ここで、コンテンツ情報を送信するのは、送信局３２であり、送信局３３は、送信局３２がコンテンツ情報を送信しているか、送信していないかの情報を送信局３２から連絡を受け取り（コンテンツ情報送信有無連絡３７）、移動受信機３４に、送信局３２からのコンテンツ情報の有無の情報を送信する。
図５Ａ及び５Ｂに、送信局３２と送信局３３のフローチャートを示す。図５Ａは送信局３２の動作を説明するもので、分岐４２において、送信局３２は、送信サービスが有る場合は、そのまま送信サービスを行い、送信サービスが無い場合は、送信サービスが無い旨、送信局３３に連絡する（４３）。
図５Ｂは送信局３３の動作を説明するものである。分岐４５において、送信局３３は、送信サービスが無い旨の連絡が送信局３２よりあった場合は（３７）、送信サービス無しの情報３９を電波に重畳し、移動受信機３４に送信する。一方、分岐４５において、送信局３３は、送信サービスが無い旨の連絡が送信局３２より無い場合は、通常の送信（例えば携帯電話の通信）を行う。送受信システム３１の移動受信機３４の構成及び動作は、第１の実施形態の説明に用いた図２及び図３に示したものと同様である。
以上、第１の実施形態及び第２の実施形態の説明では、コンテンツ情報が無いという情報の送信または連絡を行った場合の説明を行ったが、これがコンテンツ情報の有るという情報の送信または連絡を行っても同様の効果が得られる。
上記の第１及び第２の実施形態において、移動受信機がデータ又はコンテンツを含む情報の送信を行っているか否かの情報を受信した場合、わかりやすくＬＣＤ等に表示する一実施形態について、図６を参照して説明する。
図６はテレビ受信可能な携帯電話のメニュー画面の一例である。メニュー画面５１には、電池マーク５２、電界強度表示マーク５３、コンテンツ情報マーク５４などのアイコンの他に、テレビ受信５５、映像撮影５６、映像管理５７、ウェブ５８等のメニューが表示されている。ここで、コンテンツ情報（テレビ放送）が存在する場合、コンテンツ情報マーク５４がコンテンツ情報ありの状態になる。図７Ａにコンテンツ情報ありの場合のマークの一例を示し、図７Ｂにコンテンツ情報なしの場合のマークの一例を示す。このように、コンテンツ情報のありなしをユーザにわかりやすく提示することも可能である。
また、複数の送信局から、複数のコンテンツ（テレビ番組）が送信されている場合も同様に、メニュー形式で送信局の名称を提示し、コンテンツの送信が行われている場合に、その旨をマークで提示することも可能である。
また、以下のように、メニュー表示の送信局の名称の前に「＊」を付加することで、コンテンツ情報のありなしを提示することも可能である。
＊送信局１（コンテンツ情報あり）
送信局２（コンテンツ情報なし）
送信局３（コンテンツ情報なし）
＊送信局４（コンテンツ情報あり）
＊送信局５（コンテンツ情報あり）
また、送信局（チャンネル番号）と携帯電話のテンキーを対応させることにより、テンキーを点滅させる等の提示方法によって、コンテンツ情報のありなしを提示することも可能である。
以上のように、本発明によれば、送信局からコンテンツ情報が有るか無いかの情報を電波に重畳して送る手段を備えているため、時間的にサービスが受けられないのかどうかを判別できる。
また、１つの送信局からのコンテンツ情報が有るか無いかの情報を、別の送信局に連絡し、その連絡を受けた送信局が、先の送信局からコンテンツ情報が有るか、無いかの情報を電波に重畳して送る手段を備えているため、空間的にサービスが受けられないのか、時間的にサービスが受けられないのかを判別できる（別の送信局からは空間的サービスが受けられることが前提）。
また、上記各々の場合において、コンテンツ情報の送信を行っていない旨の情報を移動受信機側で抽出した場合には、対応するコンテンツ情報を表示するような操作を無効にする手段を備えているため、映像等のコンテンツのない雑音画面を表示することによる無駄な電力消費を抑えることができる。このことにより、移動受信機の低消費電力化が行える。
すなわち、時間帯を限定してデータ又はコンテンツを含む情報の送信を行う送信源と、前記送信源からの送信情報を受信する移動受信機と、で構成される送受信システムであって、前記送信源は、前記データ又はコンテンツを含む情報の送信を行っているか否かの情報を送信し、前記移動受信機は、前記送信源から送信状況に関する情報を抽出する手段を備えていることにより、移動受信機が、時間的にサービス受信可能かという情報をユーザに対してよりわかりやすく知らせることができる。
また、時間帯を限定してデータ又はコンテンツを含む情報の送信を行う２つ以上の送信源と、前記２つ以上の送信源からの送信を受信可能な移動受信機と、で構成される送受信システムであって、前記２つ以上の送信源のうち特定の送信源が前記データ又はコンテンツを含む情報の送信を行っているか否かの情報を、他の送信源に連絡し、前記連絡を受けた少なくとも一つの送信源が自身の送信情報に前記送信を行っているか否かの情報を重畳して送信し、前記移動受信機は、前記重畳された送信情報から、前記特定の送信源についての情報を抽出する手段を備えていることにより、移動受信機が、空間的に及び時間的にサービス受信可能かという情報をユーザに対してよりわかりやすく知らせることができる。
また、時間帯を限定してデータ又はコンテンツを含む情報の送信を行う送信源からの送信情報を受信する移動受信機であって、前記送信情報には、前記データ又はコンテンツを含む情報の送信を行っていない時間帯に、送信を行っていない旨の情報を含み、前記移動受信機は、前記送信情報から前記送信を行っていない旨の情報を抽出したときに、前記抽出された送信情報に対応する受信情報の表示に関する操作を無効にする手段を備えていることにより、無意味な映像雑音情報を表示することによる無駄な電力消費を抑えることが可能となり、移動受信機の低消費電力化につながる。
移動受信機が、空間的に及び時間的にサービス受信可能かという情報をユーザに対してよりわかりやすく知らせることができる。
また、時間帯を限定してデータ又はコンテンツを含む情報の送信を行う２つ以上の送信源からの送信情報を受信する移動受信機であって、前記送信情報には、前記データ又はコンテンツを含む情報の送信を行っていない時間帯に、送信を行っていない旨の情報を含み、前記移動受信機は、前記送信情報から前記送信を行っていない旨の情報を抽出したときに、前記抽出された送信情報に対応する受信情報の表示に関する操作を無効にする手段を備えていることにより、無意味な映像雑音情報を表示することによる無駄な電力消費を抑えることが可能となり、移動受信機の低消費電力化につながる。
【図面の簡単な説明】
図１は、本発明の第１の実施形態に係る送受信システムの概要を示す構成ブロック図である。
図２は、第１の実施形態における移動受信機の構成ブロック図である。
図３は、第１の実施形態における受信動作を示すフローチャートである。
図４は、本発明の第２の実施形態に係る送受信システムの概要を示す構成ブロック図である。
図５Ａ及び５Ｂは、第２の実施形態における受信動作を示すフローチャートである。
図６は、テレビ受信可能な携帯電話のメニュー画面の一例を示す図である。
図７Ａは、コンテンツ情報ありの場合のマークの一例を示す図である。
図７Ｂは、コンテンツ情報なしの場合のマークの一例を示す図である。
【図１】
2003037028.tif 000003
【図２】
2003037028.tif 000004
【図３】
2003037028.tif 000005
【図４】
2003037028.tif 000006
【図５Ａ】
2003037028.tif 000007
【図５Ｂ】
2003037028.tif 000008
【図６】
2003037028.tif 000009
【図７Ａ】
2003037028.tif 000010
【図７Ｂ】
2003037028.tif 000011
【手続補正書】
【提出日】平成15年8月27日(2003.8.27)
【手続補正１】
【補正対象書類名】特許請求の範囲
【補正対象項目名】全文
【補正方法】変更
【補正の内容】
【特許請求の範囲】
【請求項１】
時間帯を限定してデータ又はコンテンツを含む情報の送信を行う送信源と、前記送信源からの送信情報を受信する移動受信機と、で構成される送受信システムであって、
前記送信源は、前記データ又はコンテンツを含む情報の送信を行っているか否かの情報を送信し、
前記移動受信機は、前記送信源から送信状況に関する情報を抽出することを特徴とする送受信システム。
【請求項２】
時間帯を限定してデータ又はコンテンツを含む情報の送信を行う２つ以上の送信源と、前記２つ以上の送信源からの送信を受信可能な移動受信機と、で構成される送受信システムであって、
前記２つ以上の送信源のうち特定の送信源が前記データ又はコンテンツを含む情報の送信を行っているか否かの情報を、他の送信源に連絡し、前記連絡を受けた少なくとも一つの送信源が自身の送信情報に前記送信を行っているか否かの情報を重畳して送信し、
前記移動受信機は、前記重畳された送信情報から、前記特定の送信源についての情報を抽出することを特徴とする送受信システム。
【請求項３】
時間帯を限定してデータ又はコンテンツを含む情報の送信を行う送信源からの送信情報を受信する移動受信機であって、
前記送信情報には、前記データ又はコンテンツを含む情報の送信を行っていない時間帯に送信を行っていない旨の情報を含み、
前記移動受信機は、前記送信情報から前記送信を行っていない旨の情報を抽出したときに、前記抽出された送信情報に対応する受信情報の表示に関する操作を無効にすることを特徴とする移動受信機。
【請求項４】
時間帯を限定してデータ又はコンテンツを含む情報の送信を行う２つ以上の送信源からの送信情報を受信する移動受信機であって、
前記送信情報には、特定の送信源が他の送信源に連絡し、前記連絡を受けた少なくとも一つの送信源が自身の送信情報に重畳して送信した、前記データ又はコンテンツを含む情報の送信を行っていない時間帯に送信を行っていない旨の情報を含み、
前記移動受信機は、前記重畳された送信情報から、前記特定の送信源についての情報を抽出したときに、前記抽出された送信情報に対応する受信情報の表示に関する操作を無効にすることを特徴とする移動受信機。
【手続補正２】
【補正対象書類名】明細書
【補正対象項目名】０００３
【補正方法】変更
【補正の内容】
【０００３】
また、時間帯を限定してデータ又はコンテンツを含む情報の送信を行う送信源からの送信情報を受信する移動受信機であって、前記送信情報には、前記データ又はコンテンツを含む情報の送信を行っていない時間帯に、送信を行っていない旨の情報を含み、前記移動受信機は、前記送信情報から前記送信を行っていない旨の情報を抽出したときに、前記抽出された送信情報に対応する受信情報の表示に関する操作を無効にする移動受信機。
また、時間帯を限定してデータ又はコンテンツを含む情報の送信を行う２つ以上の送信源からの送信情報を受信する移動受信機であって、前記送信情報には、特定の送信源が他の送信源に連絡し、前記連絡を受けた少なくとも一つの送信源が自身の送信情報に重畳して送信した、前記データ又はコンテンツを含む情報の送信を行っていない時間帯に送信を行っていない旨の情報を含み、前記移動受信機は、前記重畳された送信情報から、前記特定の送信源についての情報を抽出したときに、前記抽出された送信情報に対応する受信情報の表示に関する操作を無効にする移動受信機。
図面の簡単な説明
図１は、本発明の第１の実施形態に係る送受信システムの概要を示す構成ブロック図である。
図２は、第１の実施形態における移動受信機の構成ブロック図である。
図３は、第１の実施形態における受信動作を示すフローチャートである。
図４は、本発明の第２の実施形態に係る送受信システムの概要を示す構成ブロック図である。
図５Ａ及び５Ｂは、第２の実施形態における受信動作を示すフローチャートである。
図６は、テレビ受信可能な携帯電話のメニュー画面の一例を示す図である。
図７Ａは、コンテンツ情報ありの場合のマークの一例を示す図である。
図７Ｂは、コンテンツ情報なしの場合のマークの一例を示す図である。
発明を実施するための最良の形態
［第１の実施形態］
本発明の第１の実施形態に係る送受信システムについて、図１及び図２を参照




【国際調査報告】
2003037028.tif 000012
2003037028.tif 000013
2003037028.tif 000014
2003037028.tif 000015